(57)【要約】【課題】使い勝手がよく、かつ、経済的にも有利な洗浄具を提供する。【解決手段】洗浄具１０は、スポンジ状材料によって形成された洗浄具本体２０と、この洗浄具本体２０に装着される、多数のブラシ毛４２の先端が略同一平面上に位置するように植設された面状ブラシ部材４０と、洗浄具本体２０に装着される、多数のブラシ毛５２が円柱を形成するように棒状体５１に植設された棒状ブラシ部材５０と、洗浄具本体２０に着脱可能に被覆される網バッグ３０とを備えている。網バッグ３０は、面状ブラシ部材４０を洗浄具本体２０に対し着脱可能に装着するための面状ブラシ装着構造として機能するとともに、面状ブラシ部材４０の係合環４１２は、棒状ブラシ部材５０を洗浄具本体２０に対して着脱可能に装着するための棒状ブラシ装着構造として機能する。【選択図】図１
2010017281.tif 000002
【特許請求の範囲】
【請求項１】
スポンジ状材料によって形成された洗浄具本体と、
前記洗浄具本体に装着され、その先端が略同一平面上に位置するように多数のブラシ毛が植設された面状ブラシ部材と、
前記洗浄具本体に装着され、多数のブラシ毛が円柱を形成するように植設された棒状ブラシ部材と、
前記洗浄具本体に着脱可能に被覆される網バッグと、
前記面状ブラシ部材を前記洗浄具本体に着脱可能に装着する面状ブラシ装着構造と、
前記棒状ブラシ部材を前記洗浄具本体に着脱可能に装着する棒状ブラシ装着構造と、
を備えたことを特徴とする洗浄具。
【請求項２】
スポンジ状材料によって形成された洗浄具本体と、
前記洗浄具本体に装着され、その先端が略同一平面上に位置するように多数のブラシ毛が植設された面状ブラシ部材と、
前記洗浄具本体に装着され、多数のブラシ毛が円柱を形成するように植設された棒状ブラシ部材と、
前記洗浄具本体の一方の端面に付設されたフェルト材と、
前記フェルト材を介して前記面状ブラシ部材を前記洗浄具本体に着脱可能に装着する面状ブラシ装着構造と、
前記棒状ブラシ部材を前記洗浄具本体に着脱可能に装着する棒状ブラシ装着構造と、
を備えたことを特徴とする洗浄具。
【請求項３】
前記面状ブラシ部材は、
線状部材で形成された環状体と、該環状体の所定箇所に植設された前記ブラシ毛とを備えて構成されていることを特徴とする請求項１または２に記載の洗浄具。
【請求項４】
前記棒状ブラシ部材は、
線状部材で形成された棒状体と、該棒状体の所定箇所に植設された前記ブラシ毛とを備えて構成されていることを特徴とする請求項１乃至３のいずれかに記載の洗浄具。
【請求項５】
前記線状部材は、
複数本の針金を互いに撚り合わせることによって形成された撚り針金からなり、前記ブラシ毛は、撚られた針金間に植設されていることを特徴とする請求項３または４に記載の洗浄具。
【請求項６】
前記棒状ブラシ部材装着構造は、前記環状体に設けられた係合部と、前記棒状ブラシ部材の端部に設けられ前記係合部に係止されるフック部材とを含むことを特徴とする請求項３乃至５のいずれかに記載の洗浄具。
【請求項７】
前記面状ブラシ装着構造は、
前記網バッグまたは前記フェルト材に、前記面状ブラシ部材を前記ブラシ毛が外方に向く状態で支持させる構造を含むことを特徴とする請求項１乃至６のいずれかに記載の洗浄具。
【請求項８】
前記面状ブラシ装着構造は、
第１面ファスナー片と、該第１面ファスナー片と接合可能な第２面ファスナー片とを含み、
前記第１面ファスナー片は前記面状ブラシ部材に、前記第２面ファスナー片は前記網バッグまたは前記フェルト材にそれぞれ付設されていることを特徴とする請求項７記載の洗浄具。
【請求項９】
前記第１面ファスナー片は、前記面状ブラシ部材のブラシ毛を貫通させる孔を有することを特徴とする請求項８記載の洗浄具。
【請求項１０】
前記面状ブラシ部材のブラシ毛を貫通させる孔を有し、前記第１面ファスナー片の表面に装着される化粧シートをさらに備えることを特徴とする請求項８記載の洗浄具。
【発明の詳細な説明】
【技術分野】
【０００１】
本発明は、食器や調理器具等の被洗浄物を洗浄するに際し使用される洗浄具に関するものである。
【背景技術】
【０００２】
従来、特許文献１に記載されているような、食器や調理器具等の被洗浄物を洗浄する際に使用される洗浄具としてのブラシ付きのスポンジタワシが知られている。このスポンジタワシは、手頃な大きさに裁寸された直方体状のスポンジと、このスポンジの一端面に一体的に植設された多数本のブラシ毛とを備えて構成されている。スポンジの一端面には、切れ目または凹溝が設けられ、これら切れ目または凹溝にブラシの根本部分を埋め込んだ状態で接着したり逢着したりすることによってブラシがスポンジに一体的に取り付けられている。
【０００３】
このようなブラシ付きのスポンジタワシによれば、当該ブラシにより被洗浄物の凹所などの汚れを落とすことが可能であり、被洗浄物を細部に亘って洗浄処理する上で有効である。
【特許文献１】特開平１−１８５２３４号公報
【発明の開示】
【発明が解決しようとする課題】
【０００４】
しかしながら、特許文献１に記載のブラシ毛がスポンジに一体的に植設されているスポンジタワシにおいては、特にブラシが必要ではない被洗浄物を洗浄するとき、スポンジに固着されたブラシが邪魔になって逆に迅速な洗浄処理を行い得なくなる場合があるという問題点を有している。
【０００５】
また、スポンジが使用可能状態であるのにブラシが破損したような場合や、その逆である場合であっても、スポンジタワシを新品と交換しなければならなくなり、経済的に不利である。
【０００６】
本発明は、上記のような状況に鑑みなされたものであって、使い勝手がよく、かつ、経済的にも有利な洗浄具を提供することを目的としている。
【課題を解決するための手段】
【０００７】
本発明の一の局面に係る洗浄具は、スポンジ状材料によって形成された洗浄具本体と、前記洗浄具本体に装着され、その先端が略同一平面上に位置するように多数のブラシ毛が植設された面状ブラシ部材と、前記洗浄具本体に装着され、多数のブラシ毛が円柱を形成するように植設された棒状ブラシ部材と、前記洗浄具本体に着脱可能に被覆される網バッグと、前記面状ブラシ部材を前記洗浄具本体に着脱可能に装着する面状ブラシ装着構造と、前記棒状ブラシ部材を前記洗浄具本体に着脱可能に装着する棒状ブラシ装着構造と、を備えたことを特徴とする（請求項１）。
【０００８】
この洗浄具によれば、スポンジ状材料からなる洗浄具本体で食器や調理器具等の被洗浄物を擦ることにより当該被洗浄物に十分な洗浄処理が施される。また、洗浄具本体には面状ブラシ部材が装着されているため、この面状ブラシ部材によって被洗浄物に形成された凹部や隙間などの洗い難い部分が容易に洗浄される。さらに、洗浄具本体には、棒状ブラシ部材が装着されているため、被洗浄物が瓶等の細口の開口を備えたものであるような場合、当該細口に棒状ブラシ部材を差し入れて瓶等の内部を洗浄することができる。従って、ユーザは洗浄対象によって一々洗浄具を取り替える必要がない。
【０００９】
しかも、面状ブラシ部材を洗浄具本体に着脱可能に装着する面状ブラシ装着構造および棒状ブラシ部材を洗浄具本体に着脱可能に装着する棒状ブラシ装着構造が備えられているため、必要に応じて面状ブラシ部材および棒状ブラシ部材のいずれか一方または双方を洗浄具本体に対し容易に着脱することが可能である。これによって洗浄具は、被洗浄物の種類や洗浄の状況に応じて容易に対応し得るものになるとともに、どれかに不具合が生じた場合、全体を新品と取り代えなくてもよく、その分経済的である。
【００１０】
また、洗浄具本体は、網バッグによって被覆されているため、洗浄具を少々手荒く使用しても、スポンジ状材料製の洗浄具本体は、当該網バッグに保護されていることによりバラバラに分解するような不都合が生じることはなく、長期間に亘って適正に使用することができ、耐用期間が延長する。また、網バッグを面状ブラシ装着構造および棒状ブラシ装着構造の構成要素として利用することにより、当該各ブラシ装着構造が容易に形成され、かつ、各ブラシが適正に洗浄具本体に装着される。
【００１１】
本発明の他の局面に係る洗浄具は、スポンジ状材料によって形成された洗浄具本体と、前記洗浄具本体に装着され、その先端が略同一平面上に位置するように多数のブラシ毛が植設された面状ブラシ部材と、前記洗浄具本体に装着され、多数のブラシ毛が円柱を形成するように植設された棒状ブラシ部材と、前記洗浄具本体の一方の端面に付設されたフェルト材と、前記フェルト材を介して前記面状ブラシ部材を前記洗浄具本体に着脱可能に装着する面状ブラシ装着構造と、前記棒状ブラシ部材を前記洗浄具本体に着脱可能に装着する棒状ブラシ装着構造と、を備えたことを特徴とする（請求項２）。
【００１２】
この構成によれば、上記の利点に加えて、フェルト材を面状ブラシ装着構造および棒状ブラシ装着構造の構成要素として利用しているので、網バッグを用いる場合に比べて面状ブラシ装着構造および棒状ブラシ装着構造を簡素化しつつ、各ブラシ部材の洗浄具本体に対する装着状態を良好にすることができる。
【００１３】
上記いずれかの構成において、前記面状ブラシ部材は、線状部材で形成された環状体と、該環状体の所定箇所に植設された前記ブラシ毛とを備えることが望ましい（請求項３）。また、前記棒状ブラシ部材は、線状部材で形成された棒状体と、該棒状体の所定箇所に植設された前記ブラシ毛とを備えることが望ましい（請求項４）。
【００１４】
これらの構成によれば、線状部材からなる環状体および棒状体にブラシ毛を植設するので、面状ブラシ部材および棒状ブラシ部材を容易に製造することができる。
【００１５】
上記構成において、前記線状部材は、複数本の針金を互いに撚り合わせることによって形成された撚り針金からなり、前記ブラシ毛は、撚られた針金間に植設されていることが望ましい（請求項５）。
【００１６】
かかる構成によれば、複数の針金間にブラシ毛を挟み込むようにしつつ環状体および棒状体を形成させることにより、面状ブラシ部材および棒状ブラシ部材が容易に製造され、各ブラシ部材の製造コストの低減化に貢献する。
【００１７】
上記構成において、前記棒状ブラシ部材装着構造は、前記環状体に設けられた係合部と、前記棒状ブラシ部材の端部に設けられ前記係合部に係止されるフック部材とを含むことが望ましい（請求項６）。
【００１８】
この構成によれば、棒状ブラシ部材の端部のフック部材を環状体の係合部に係合させるという簡単な操作で、当該棒状ブラシ部材は洗浄具本体に容易に装着される。一方、この係合を解除することで棒状ブラシ部材が洗浄具本体から取り外される。従って、棒状ブラシ部材の洗浄具本体に対する着脱操作が容易になる。
【００１９】
上記いずれかの構成において、前記面状ブラシ装着構造は、前記網バッグまたは前記フェルト材に、前記面状ブラシ部材を前記ブラシ毛が外方に向く状態で支持させる構造を含むことが望ましい（請求項７）。
【００２０】
この構成によれば、網バックおよびフェルト材を面状ブラシ装着構造の構成要素とすることで（すなわち、網バックおよびフェルト材を介して面状ブラシ部材を洗浄具本体に装着することで）、面状ブラシ部材をスポンジ状材料に直接装着する場合に比較し、その洗浄具本体に対する装着状態が安定化する。
【００２１】
上記構成において、前記面状ブラシ装着構造は、第１面ファスナー片と、該第１面ファスナー片と接合可能な第２面ファスナー片とを含み、前記第１面ファスナー片は前記面状ブラシ部材に、前記第２面ファスナー片は前記網バッグまたは前記フェルト材にそれぞれ付設されていることが望ましい（請求項８）。
【００２２】
この構成によれば、第１面ファスナー片を第２面ファスナー片に押し付けることにより両者が互いに接合することで面状ブラシ部材が洗浄具本体に装着されるとともに、第１面ファスナー片を第２面ファスナー片から引き剥がすことによって面状ブラシ部材が洗浄具本体から取り外される。従って、簡単な構造でありながら、面状ブラシ部材の洗浄具本体に対する着脱操作の容易性が確保される。
【００２３】
この場合、前記第１面ファスナー片は、前記面状ブラシ部材のブラシ毛を貫通させる孔を有することが望ましい（請求項９）。
【００２４】
この構成によれば、ブラシ毛を第１ファスナー片に設けられた孔に通すことにより、当該第１ファスナー片が第２ファスナー片に接合された状態で、第１ファスナー片によって環状体を隠すことができる。これにより、洗浄具の、外観視の見栄えを良くすることができる。
【００２５】
また、前記面状ブラシ部材のブラシ毛を貫通させる孔を有し、前記第１面ファスナー片の表面に装着される化粧シートをさらに備えることが望ましい（請求項１０）。
【００２６】
この構成によれば、ブラシ毛を突出させた状態で、第１面ファスナー片の表面側が化粧シートで覆われるので、洗浄具の見栄えをよくすることができる。
【発明の効果】
【００２７】
本発明に係る洗浄具によれば、洗浄具本体に面状ブラシ部材及び棒状ブラシ部材が装着されているので、ユーザは洗浄対象によって一々洗浄具を取り替える必要がなく、洗浄の作業性を向上させることができる。また、洗浄具本体に含浸された洗剤を面状ブラシ部材及び棒状ブラシ部材に流用できる一方で、これら本体及びブラシ部材を濯ぐ際は水を共用できるので、洗剤や水の節約になる。さらに、面状ブラシ部材を洗浄具本体に着脱可能に装着する面状ブラシ装着構造と、棒状ブラシ部材を洗浄具本体に着脱可能に装着する棒状ブラシ装着構造がそれぞれ備えられている。このため、必要に応じて面状ブラシ部材および棒状ブラシ部材のいずれか一方および双方を洗浄具本体に対し容易に着脱することが可能であり、これによって洗浄具を被洗浄物の種類や洗浄の状況に応じて容易に対応し得るものにすることができる。
【発明を実施するための最良の形態】
【００２８】
最初に、洗浄具本体２０に対しブラシ部材４０，５０を着脱自在に装着するためのブラシ装着構造の構成要素として網バッグ３０が使用されることを前提とした洗浄具１０（洗浄具１０ａ，１０ｂ，１０ｃ，１０ｄ，１０ｅ）について図１〜図７を基に説明する。
【００２９】
まず、図１は、本発明に係る洗浄具１０の第１実施形態（洗浄具１０ａ）を示す斜視図であり、図１（Ａ）は、分解斜視図、図１（Ｂ）は、組み立て斜視図である。第１実施形態に係る洗浄具１０ａは、発泡性合成樹脂などの人工材料からなるスポンジ状の洗浄具本体２０と、この洗浄具本体２０に被覆される網バッグ３０と、洗浄具本体２０の端面２１に着脱自在に装着される面状ブラシ部材４０と、洗浄具本体２０の端面２１に着脱自在に装着される棒状ブラシ部材５０とを備えた基本構成を有している。
【００３０】
洗浄具本体２０は、本実施形態においては合成樹脂系の、いわゆる発泡体（プラスチックフォーム）が採用されている。具体的には、例えばポリスチレンフォーム、ポリエチレンフォーム、ポリプロピレンフォーム、ポリビニルクロライドフォーム、ビスコーススポンジ、ゴムフォーム、ＥＶＡフォーム、ＡＢＳフォーム、ポリアミドフォーム、アクリルフォーム、ウレタンフォーム、フェノールフォーム、ユリアフォーム、シリコンフォーム、エポキシフォーム等を洗浄具本体２０の材料として挙げることができる。洗浄具本体２０のサイズは、手に持って洗浄操作し易い所定の立体寸法（例えば縦１４０ｍｍ×横８ｍｍ０×厚さ２０ｍｍ）とされている。
【００３１】
網バッグ３０は、洗浄具本体２０を包むものであり、例えば、ポリエチレン、ポリプロピレン、ポリビニルクロライド、ポリスチレン、ポリアミド等の合成樹脂を原料として製造された紐体が、目開き略５ｍｍで編成されることによって形成されている。なお、網目の目開き寸法については任意であり、状況に応じて適宜の目開き寸法が採用される。かかる網バッグ３０は、立体寸法が洗浄具本体２０の立体寸法と略同一の直方体状に形成されている。
【００３２】
このような網バッグ３０の一方の側縁面３２には、長手方向の略全長に亘って形成された洗浄具本体２０を装着するための装着開口３２１が設けられているとともに、この装着開口３２１の縁部には面接合ファスナー３３が取り付けられている。面接合ファスナー３３は、装着開口３２１の一方の縁部に取り付けられた、先端が鈎状の多数の係着針が植設されてなる第１面ファスナー片３３１と、この第１面ファスナー片３３１に対応するように装着開口３２１の他方の縁部に取り付けられた、係着針が引っ掛かる多数の係着輪が植設されてなる第２面ファスナー片３３２とから構成されている。第１面ファスナー片３３１および第２面ファスナー片３３２は、係着針と係着輪とが互いに対向するように装着開口３２１に取り付けられている。
【００３３】
従って、第１面ファスナー片３３１と第２面ファスナー片３３２とが互いに押圧当接されることにより、係止針が係止輪に引っ掛かって両者が接合され、これによって装着開口３２１が閉止されることになる。装着開口３２１を開くときは、所定の力で第１面ファスナー片３３１および第２面ファスナー片３３２を互いに反対方向に向けて引っ張ればよい。こうすることで係止針が係止輪から外れて各着テープ３３１，３３２がそれぞれ離間し、これによって装着開口３２１が開放される。
【００３４】
装着開口３２１が開放された状態で、当該装着開口３２１を介して洗浄具本体２０が網バッグ３０内に挿入され、第１面ファスナー片３３１と第２面ファスナー片３３２とが互いに押圧当接されることによって装着開口３２１が閉止される。
【００３５】
以下、図２を基にブラシ部材４０，５０について説明する。図２は、ブラシ部材４０，５０を示す拡大斜視図であり、図２（Ａ）は、面状ブラシ部材４０の一実施形態を示す斜視図、図２（Ｂ）は、棒状ブラシ部材５０の一実施形態を示す斜視図である。なお、図２においては、ブラシ毛４２，５２の太さを誇張して示している。
【００３６】
面状ブラシ部材４０は、植設された多数のブラシ毛の先端が同一平面上に位置し得るように形状が設定されている。面状ブラシ部材４０は、撚り針金を環状に折り曲げて形成された環状体４１と、この環状体４１に等ピッチで植設されたブラシ毛４２とからなっている。環状体４１は、本実施形態では２本の針金４１１が互いに撚られることによって形成されている。ブラシ毛４２は、かかる２本の針金４１１の撚り操作時に、当該２本の針金４１１間に一塊ずつが挟み込まれる。そして、複数塊が挟み込まれた２本の針金４１１が細長い環状になるように折り曲げられて両端部が結束され、これによって環状体４１とブラシ毛４２とからなる面状ブラシ部材４０が形成される。
【００３７】
環状体４１には、その両端部にそれぞれ反対方向に向けて突設された係合環（係合部）４１２が設けられている。これらの係合環４１２は、棒状ブラシ部材５０に形成された後述のフック部材５３を係合させるためのものである。
【００３８】
このようにして形成された面状ブラシ部材４０は、洗浄具本体２０が網バッグ３０に挿入される前に予め挿入され、ブラシ毛４２が植設されている側が網バッグ３０の端面３１に内側から押し付けられる。これによって面状ブラシ部材４０の各ブラシ毛４２の塊は、図１（Ｂ）に示すように、網バッグ３０の端面３１の網目から外部に突出した状態になる。この状態で洗浄具本体２０を、装着開口３２１を介して網バッグ３０内に挿入することにより、面状ブラシ部材４０は、洗浄具本体２０の端面２１に押圧されて装着状態が安定する。
【００３９】
棒状ブラシ部材５０は、真っ直ぐに延びた棒状体５１と、この棒状体５１に植設されたブラシ毛５２と、棒状体５１の両端部に形成された一対のフック部材５３とを備えている。
【００４０】
棒状体５１は、２本の針金５１１が真っ直ぐに延びるように互いに撚られて形成されている。ブラシ毛５２は、２本の針金５１１が互いに撚られるに際し、当該２本の針金５１１間に螺旋状になるように逐一挟み込まれ、これによって棒状体５１を囲むように円柱状に形成されている。
【００４１】
フック部材５３は、面状ブラシ部材４０の環状体４１の両端部に形成された係合環４１２に係合させるためのものであり、棒状体５１の各端部が鈎型に折り曲げられることによって形成されている。従って、網バッグ３０に挿入されてブラシ毛４２が網目から外部に突出された状態の面状ブラシ部材４０の係合環４１２にフック部材５３を係合させることにより、棒状ブラシ部材５０が、図１（Ｂ）に示すように、洗浄具本体２０に取り付けられた状態になる。
【００４２】
図３は、棒状ブラシ部材５０が洗浄具本体２０の端面に収納された状態を示す拡大斜視図である。棒状ブラシ部材５０を後処理装置２０の端面に収納するには、図３に示すように、一方のフック部材５３を対応した一方の係合環４１２へ係合させるとともに、他方のフック部材５３を対応した他方の係合環４１２へ係合させる。こうすることによって、棒状ブラシ部材５０は、円柱状に形成されたブラシ毛５２が面状ブラシ部材４０の２列のブラシ毛４２の列間に挟持された状態で洗浄具本体２０の端面に収納される。
【００４３】
第１実施形態の洗浄具１０ａにおいては、面状ブラシ部材４０を着脱可能に洗浄具本体２０へ装着するための面状ブラシ着脱構造は、面状ブラシ部材４０のブラシ毛４２を通し得る網バッグ３０の網目と、この網目を介してブラシ毛４２を外部に突出させるように環状体４１を網バッグ３０内から押圧する洗浄具本体２０とから構成されている。また、棒状ブラシ部材５０を着脱可能に洗浄具本体２０へ装着するための棒状ブラシ着脱構造は、面状ブラシ部材４０の環状体４１の両端部にそれぞれ形成された係合環４１２と、棒状ブラシ部材５０の棒状体５１の両端部にそれぞれ形成されたフック部材５３とから構成されている。
【００４４】
図４は、第２実施形態に係る洗浄具１０ｂを示す斜視図であり、図４（Ａ）は、分解斜視図、図４（Ｂ）は、組み立て斜視図である。第２実施形態の洗浄具１０ｂにおいては、第１実施形態の面状ブラシ部材４０と同様に構成された面状ブラシ部材４０が、通常の縫製用の糸４３によって網バッグ３０の端面３１に逢着あるいは結着されている。
【００４５】
この洗浄具１０ｂにおける面状ブラシ装着構造は、面状ブラシ部材４０が逢着された網バッグ３０と、面状ブラシ部材４０を網バッグ３０に逢着するために用いられた糸４３とによって構成されている。洗浄具１０ｂのその他の構成については、図１に示す第１実施形態の洗浄具１０ａと同様である。
【００４６】
第２実施形態に係る洗浄具１０ｂによれば、網バッグ３０を洗浄具本体２０に被せるだけで面状ブラシ部材４０を洗浄具本体２０に装着された状態にすることができるとともに、網バッグ３０を洗浄具本体２０から外すことによって面状ブラシ部材４０を洗浄具本体２０から取り外すことができる。このため、面状ブラシ部材４０の洗浄具本体２０への着脱操作を極めて容易に行うことができ、面状ブラシ部材４０の洗浄具本体２０に対する着脱操作の作業性を大幅に向上させることができる。
【００４７】
図５は、第３実施形態に係る洗浄具１０ｃを示す斜視図であり、図５（Ａ）は、分解斜視図、図５（Ｂ）は、組み立て斜視図である。第３実施形態に係る洗浄具１０ｃにおいては、面状ブラシ部材４０を洗浄具本体２０に装着するために面接合ファスナー（面状ブラシ装着構造）６０が採用されているが、その他の構成については、第１実施形態の洗浄具１０ａと同様である。
【００４８】
面接合ファスナー６０は、いわゆるマジックテープ（登録商標）であって、図５（Ａ）に示すように、網バッグ３０の端面３１に逢着または結着された第２面ファスナー片６２と、この第２面ファスナー片６２に係着される第１面ファスナー片６１とからなる。第１面ファスナー片６１には、その第２面ファスナー片６２に対する対向面に先端が鈎型になった多数の係着針６１１が植設されている一方、第２面ファスナー片６２には、その第１面ファスナー片６１に対する対向面にリング状になった多数の係着輪６２１が植設されている。第１面ファスナー片６１の係着針６１１が植設された面を、第２面ファスナー片６２の係着輪６２１が植設された面に押し当てることにより、係着針６１１が係着輪６２１に係着し、これによって第１および第２面ファスナー片６１，６２が互いに接合される。
【００４９】
第１面ファスナー片６１における面状ブラシ部材４０の各ブラシ毛４２に対応した位置には、当該各ブラシ毛４２を挿通させるための複数の挿通孔６１２が穿設されている。第１面ファスナー片６１の係着針６１１が植設されている面側から各ブラシ毛４２を対応した挿通孔６１２へそれぞれ挿通させた状態で、当該第１面ファスナー片６１を第２面ファスナー片６２に押し付けることにより、各係着針６１１が各係着輪６２１に係合される。これによって面状ブラシ部材４０の環状体４１が、図５（Ｂ）に示すように、第１面ファスナー片６１および第２面ファスナー片６２によって挟持された状態になる。
【００５０】
面状ブラシ部材４０が面接合ファスナー６０に保持されることにより、面状ブラシ部材４０のブラシ毛４２が第１面ファスナー片６１の挿通孔６１２から外部に突出した状態になるため、この部分で被洗浄物を清拭しながら洗浄することができる。面状ブラシ部材４０を取り外すときは、第１面ファスナー片６１を引っ張って第２面ファスナー片６２から引き剥がせばよい。なお、環状体４１の各係合環４１２を通すために、面接合ファスナー６０の内の第１面ファスナー片６１の両側部に装着孔６０１がそれぞれ穿設されている。
【００５１】
このように構成された洗浄具１０ｃにおいて、環状体４１を挟持し得る面接合ファスナー６０が面状ブラシ装着構造であり、面接合ファスナー６０に穿設された装着孔６０１が棒状ブラシ装着構造である。
【００５２】
第３実施形態に係る洗浄具１０ｃによれば、面状ブラシ部材４０が第１および第２面ファスナー片６１，６２からなる面接合ファスナー６０に挟持されるため、面状ブラシ部材４０の面接合ファスナー６０および網バッグ３０を介した洗浄具本体２０に対する着脱操作の作業性を大幅に向上させることができる。
【００５３】
図６は、第４実施形態に係る洗浄具１０ｄを示す斜視図であり、図６（Ａ）は、分解斜視図、図６（Ｂ）は、組み立て斜視図である。洗浄具１０ｄは、第３実施形態の洗浄具１０ｃの変形例と言うべきものであり、面状ブラシ装着構造としての面接合ファスナー６０ａが、挿通孔６１２の穿設されていない第１面ファスナー片６１ａと、第３実施形態のものと同様の第２面ファスナー片６２とからなっている。そして、面状ブラシ部材４０は、第１面ファスナー片６１ａの表面側（図６における左側）に逢着されている。第４実施形態に係る洗浄具１０ｄのその他の構成は、第３実施形態のものと同様である。
【００５４】
この洗浄具１０ｄにおいて、面状ブラシ部材４０の洗浄具本体２０に対する着脱操作は、第１面ファスナー片６１ａを第２面ファスナー片６２に対して着脱することにより行われる。
【００５５】
第４実施形態の洗浄具１０ｄによれば、第３実施形態の洗浄具１０ｃと比較して、面状ブラシ部材４０のブラシ毛４２を一々第１面ファスナー片６１の挿通孔６１２（図５）に通す必要がないため、その分、面状ブラシ部材４０の面接合ファスナー６０ａに対する着脱操作の作業性を向上させることができ、製造コストの低減化に貢献することができる。
【００５６】
図７は、第５実施形態に係る洗浄具１０ｅを示す斜視図であり、図７（Ａ）は、分解斜視図、図７（Ｂ）は、組み立て斜視図である。第５実施形態に係る洗浄具１０ｅは、第４実施形態の洗浄具１０ｄの変形例と言うべきものであり、第１面ファスナー片６１ａの表面側（図７（Ａ）における左側）にフェルト製の化粧シート６３が取り付けられている。この化粧シート６３には、面状ブラシ部材４０の各ブラシ毛４２に対応した位置に挿通孔６３１が穿設されているとともに、面接合ファスナー６０ａの装着孔６０１に対応した位置に環状体４１の係合環４１２を通すための装着孔６３２が穿設されている。
【００５７】
そして、前記各挿通孔６３１に対応したブラシ毛４２を差し込んでいくことにより、図７（Ｂ）に示すように、第１面ファスナー片６１ａの表面側がフェルト製の化粧シート６３によって覆われた状態になる。なお、化粧シート６３と第１面ファスナー片６１ａとの間には図略の両面テープが介在され、これによって化粧シート６３が第１面ファスナー片６１ａから剥がれることがないようになされている。第５実施形態の洗浄具１０ｅのその他の構成は、先の第４実施形態の洗浄具１０ｄと同様である。
【００５８】
第５実施形態の洗浄具１０ｄによれば、第１面ファスナー片６１ａの表面側に設けられた面状ブラシ部材４０の環状体４１が化粧シート６３によって覆われることにより、洗浄具１０ｅの見栄えをよくすることができる。
【００５９】
次に、洗浄具本体２０に対し面状ブラシ部材４０を着脱自在に装着するための面状ブラシ装着構造の構成要素として、網バッグ３０に代えてフェルト材７０を使用することを前提とした第６〜第８実施形態に係る洗浄具１０（洗浄具１０ｆ，１０ｇ，１０ｈ）について図８〜図１０を基に説明する。
【００６０】
図８は、第６実施形態に係る洗浄具１０ｅを示す斜視図であり、図８（Ａ）は、分解斜視図、図８（Ｂ）は、組み立て斜視図である。第６実施形態に係る洗浄具１０ｆは、洗浄具本体２０、面状ブラシ部材４０、棒状ブラシ部材５０および面接合ファスナー６０を備えて構成されている点については図５に示す第３実施形態の洗浄具１０ｃと同様であるが、面状ブラシ装着構造として第３実施形態で採用されている網バッグ３０に代えてフェルト材７０が採用されている点で第３実施形態のものと相違している。
【００６１】
フェルト材７０は、洗浄具本体２０の端面２１と、第２面ファスナー片６２の裏面との間に接着剤を介して介設されている。フェルト材７０が、洗浄具本体２０と第２面ファスナー片６２との間に介設されるのは以下の理由による。すなわち、合成樹脂製のシート材からなる極めて滑らかな面を備えた第２面ファスナー片６２とスポンジ状の洗浄具本体２０とは、接着に関し相性が悪く、たとえ接着剤を介しても両者を接合させても良好に接着することができないため、接着に関しこれら双方に対して相性のよいフェルト材７０が採用されるのである。
【００６２】
第６実施形態に係る洗浄具１０ｆによれば、網バッグ３０が採用することなく、第３実施形態の洗浄具１０ｃと同様の作用効果を得ることができる。
【００６３】
図９は、第７実施形態に係る洗浄具１０ｇを示す斜視図であり、図９（Ａ）は、分解斜視図、図９（Ｂ）は、組み立て斜視図である。第７実施形態に係る洗浄具１０ｇは、洗浄具本体２０、面状ブラシ部材４０、棒状ブラシ部材５０および面接合ファスナー６０ａを備えて構成されている点については図６に示す第４実施形態の洗浄具１０ｄと同様であるが、第４実施形態で採用されている網バッグ３０に代えてフェルト材７０が採用されている点については第６実施形態の洗浄具１０ｆと同様である。
【００６４】
第７実施形態に係る洗浄具１０ｇによれば、網バッグ３０が採用されていないだけで第４実施形態の洗浄具１０ｄと同様の作用効果を得ることができる。
【００６５】
図１０は、第８実施形態に係る洗浄具１０ｈを示す斜視図であり、図１０（Ａ）は、分解斜視図、図１０（Ｂ）は、組み立て斜視図である。第８実施形態に係る洗浄具１０ｈは、洗浄具本体２０、面状ブラシ部材４０、棒状ブラシ部材５０および面接合ファスナー６０ａを備えて構成されている点については図７に示す第５実施形態の洗浄具１０ｅと同様であるが、第５実施形態で採用されている網バッグ３０に代えてフェルト材７０が採用されている点については、第７実施形態の洗浄具１０ｇと同様である。
【００６６】
第８実施形態に係る洗浄具１０ｈによれば、網バッグ３０が採用されていないだけで第５実施形態の洗浄具１０ｄと同様の作用効果を得ることができる。
【００６７】
以上詳述したように、第１〜第５実施形態に係る洗浄具１０ａ，１０ｂ，１０ｃ，１０ｄ，１０ｅは、スポンジ状材料によって形成された洗浄具本体２０と、この洗浄具本体２０に着脱可能に被覆される網バッグ３０と、洗浄具本体２０に装着される、多数のブラシ毛４２の先端が略同一平面上に位置するように植設された面状ブラシ部材４０と、洗浄具本体２０に装着される、多数のブラシ毛５２が円柱を形成するように棒状体５１に植設された棒状ブラシ部材５０とを備えている。
【００６８】
これら洗浄具１０ａ〜１０ｅによれば、ユーザは、スポンジ状材料からなる洗浄具本体２０に洗剤を浸透させ、かつ、水を含ませた状態で当該洗浄具本体２０を揉むことにより、その表面で洗剤が泡立った状態になるため、この状態の洗浄具で食器や調理器具等の被洗浄物を擦ることにより当該被洗浄物に洗浄処理を施すことができる。
【００６９】
そして、洗浄具本体２０は、網バッグ３０によって被覆されているため、洗浄具１０ａ〜１０ｅを少々手荒く使用しても、スポンジ状材料製の洗浄具本体２０は、当該網バッグ３０に保護されていることによりバラバラに分解するような不都合が生じることはなく、長期間に亘って適正に使用することができる。
【００７０】
また、洗浄具本体２０には、多数のブラシ毛４２の先端が略同一平面上に位置するように植設された面状ブラシ部材４０が装着されているため、この面状ブラシ部材４０によって被洗浄物に形成された凹部や隙間などの洗い難い部分を容易に洗浄することができる。さらに、洗浄具本体２０には、多数のブラシ毛が円柱を形成するように植設された棒状ブラシ部材５０が装着されているため、この棒状ブラシ部材５０によって被洗浄物が瓶等の細口の開口を備えたものである場合、当該細口に棒状ブラシ部材５０を差し入れて瓶等の内部を洗浄することができる。
【００７１】
面状ブラシ部材４０は、複数本を互いに撚り合わせることによって形成された撚り針金を環状に折り曲げて形成する環状体４１と、この環状体４１の撚られた針金４１１間に植設されたブラシ毛４２とを備えて構成されている。このため、針金４１１を撚りつつブラシ毛４２を植設して環状に形成することで環状体４１とブラシ毛４２とからなる面状ブラシ部材４０が形成される。従って、板体に穿設された多数の孔にブラシ毛４２を植設して面状ブラシ部材４０を製造する場合に比較して製造が容易であり、面状ブラシ部材４０の製造コストの低減化に貢献することができる。
【００７２】
棒状ブラシ部材５０は、複数本を互いに撚り合わせることによって形成された線状の撚り針金からなる棒状体５１と、この棒状体５１の撚られた針金５１１間に植設されたブラシ毛５２とを備えて構成されている。このため、所定の棒体の外周面に穿設された多数の孔にブラシ毛５２を植設して当該棒状ブラシ部材５０を製造する場合に比較して製造が容易であり、棒状ブラシ部材５０の製造コストの低減化に貢献することができる。
【００７３】
ついで、第６〜第８実施形態に係る洗浄具１０ｆ，１０ｇ，１０ｈは、前記第１〜第５実施形態に係る洗浄具１０ａ，１０ｂ，１０ｃ，１０ｄ，１０ｅで採用された網バッグ３０は使用されず、代わりにフェルト材７０が採用されている。具体的には、洗浄具１０ｆ，１０ｇ，１０ｈは、スポンジ状材料によって形成された洗浄具本体２０と、洗浄具本体２０に装着される、多数のブラシ毛の先端が略同一平面上に位置するように植設された面状ブラシ部材４０と、洗浄具本体２０に装着される、多数のブラシ毛が円柱を形成するように植設された棒状ブラシ部材５０と、洗浄具本体２０の一方の端面に付設されたフェルト材７０と、このフェルト材７０を介して面状ブラシ部材４０を洗浄具本体２０に着脱可能に装着する面状ブラシ装着構造とを備えている。なお、棒状ブラシ部材５０を洗浄具本体２０に着脱可能に装着する棒状ブラシ装着構造については、第１〜第５実施形態に係る洗浄具１０ａ，１０ｂ，１０ｃ，１０ｄ，１０ｅと同様であり、洗浄具本体２０の端面２１に凹設された端面２１によって構成されている。
【００７４】
かかる構成によれば、面状ブラシ部材４０を洗浄具本体２０に取り付けるべくフェルト材７０が採用されているため、網バッグ３０を用いる場合に比べて面状ブラシ装着構造および棒状ブラシ装着構造を簡素化しつつ、各ブラシ部材の洗浄具本体２０に対する装着状態を良好にすることができる。
【００７５】
本発明は、上記の実施形態に限定されるものではなく、以下の内容をも包含するものである。
【００７６】
（１）上記の実施形態においては、撚られた針金で形成された環状体４１および棒状体５１における針金４１１，５１１間にブラシ毛４２，５２を挟持させることにより面状ブラシ部材４０および棒状ブラシ部材５０が形成されている例を示した。基礎材として、かかる針金４１１，５１１に代えて木製や合成樹脂製の板状体を採用してもよい。
【００７７】
（２）図４に示す上記の第２実施形態に係る洗浄具１０ｂにあっては、面状ブラシ部材４０を、糸４３を用いた縫製処理で網バッグ３０に取り付けているが、こうする代わりに接着剤で両者を接合させてもよい。
【００７８】
（３）上記の第１〜第５実施形態に係る洗浄具１０ａ，１０ｂ，１０ｃ，１０ｄ，１０ｅにおいては、網バッグ３０に設けられた洗浄具本体２０を装着するための装着開口３２１に面接合ファスナー３３が付設されている例を示した。この面接合ファスナー３３に代えて、ファスナーや釦を採用してもよい。
【００７９】
（４）上記の第６〜第８洗浄具１０ｆ，１０ｇ，１０ｈにおいては、洗浄具本体２０の端面２１に一旦フェルト材７０が貼着され、このフェルト材７０に面接合ファスナー６０が貼着または粘着されている。こうする代わりに、特にフェルト材７０を採用することなく面接合ファスナー６０を洗浄具本体２０の端面２１に直接貼着してもよい。
【００８０】
（５）上記実施形態では、洗浄具本体２０が直方体（上面視で長方形の形状）のものを例示した。これに代えて、上面視で三角形の形状の部分を含む洗浄具本体としたり、さらにその三角形の頂点部分から内側方向にスリットを形成したりして、被洗浄体の凹所等の洗浄性を向上させるようにしても良い。
【図面の簡単な説明】
【００８１】
【図１】本発明の第１実施形態に係る洗浄具を示す斜視図であり、（Ａ）は、分解斜視図、（Ｂ）は、組み立て斜視図である。
【図２】ブラシ部材を示す拡大斜視図であり、（Ａ）は、面状ブラシ部材の一実施形態を示す斜視図、（Ｂ）は、棒状ブラシ部材の一実施形態を示す斜視図である。
【図３】棒状ブラシ部材が洗浄具本体の端面に収納された状態の拡大斜視図である。
【図４】本発明の第２実施形態に係る洗浄具を示す斜視図であり、（Ａ）は、分解斜視図、（Ｂ）は、組み立て斜視図である。
【図５】本発明の第３実施形態に係る洗浄具を示す斜視図であり、（Ａ）は、分解斜視図、（Ｂ）は、組み立て斜視図である。
【図６】本発明の第４実施形態に係る洗浄具を示す斜視図であり、（Ａ）は、分解斜視図、（Ｂ）は、組み立て斜視図である。
【図７】本発明の第５実施形態に係る洗浄具を示す斜視図であり、（Ａ）は、分解斜視図、（Ｂ）は、組み立て斜視図である。
【図８】本発明の第６実施形態に係る洗浄具を示す斜視図であり、（Ａ）は、一部切り欠き分解斜視図、（Ｂ）は、組み立て斜視図である。
【図９】本発明の第７実施形態に係る洗浄具を示す斜視図であり、（Ａ）は、分解斜視図、（Ｂ）は、組み立て斜視図である。
【図１０】本発明の第８実施形態に係る洗浄具を示す斜視図であり、（Ａ）は、分解斜視図、（Ｂ）は、組み立て斜視図である。
【符号の説明】
【００８２】
１０，１０ａ〜１０ｈ  洗浄具  ２０  洗浄具本体
２１  端面                    ３０  網バッグ
３１  端面                    ３２  側縁面
３２１  装着開口              ３３  面接合ファスナー
３３１  第１面ファスナー片    ３３２  第２面ファスナー片
４０  面状ブラシ部材          ４１  環状体
４１１  針金                  ４１２  係合環（係合部）
４２  ブラシ毛                ４３  糸
５０  棒状ブラシ部材          ５１  棒状体
５１１  針金                  ５２  ブラシ毛
５３  フック部材              ６０，６０ａ  面接合ファスナー
６０１  装着孔                ６１，６１ａ  第１面ファスナー片
６１１  係着針                ６１２  挿通孔
６２  第２面ファスナー片      ６２１  係着輪
６３  化粧シート              ６３１  挿通孔
６３２  装着孔                ７０  フェルト材
【図１】
2010017281.tif 000003
【図２】
2010017281.tif 000004
【図３】
2010017281.tif 000005
【図４】
2010017281.tif 000006
【図５】
2010017281.tif 000007
【図６】
2010017281.tif 000008
【図７】
2010017281.tif 000009
【図８】
2010017281.tif 000010
【図９】
2010017281.tif 000011
【図１０】
2010017281.tif 000012